(57)【要約】【課題】保持具を用いて薄型モニタを設置した後において、保持具を取り外すことなく、薄型モニタのみの撤去や交換を可能とする薄型モニタ保持具を提供する。【解決手段】本発明の薄型モニタ保持具１０は、薄型モニタを収容するケース本体１と、ケース本体のモニタ出し入れ口１Ａに設けられた、薄型モニタの出し入れを制御する係止手段１１とを備える。ケース本体は、薄型モニタの天部を支持する天面側覆い部１２と、薄型モニタの地部を支持する地面側覆い部１４と、天面側覆い部及び地面側覆い部に共に連設して一体に形成された前面側覆い部１３とを有して構成され、小口方向の少なくとも何れか一方がモニタ出し入れ口として開口するものとなっている。係止手段は、モニタ出し入れ口の少なくとも一部を任意に閉塞することが可能なようにケース本体に対して曲折自在に動作する、ケース本体に連設されたヒンジ片となっている。【選択図】図１
2016209410.tif 000002
【特許請求の範囲】
【請求項１】
商品の展示部近傍へ薄型モニタを設置した後において、薄型モニタのみの撤去や交換を可能とする保持具であって、
前記薄型モニタを収容するケース本体と、
前記ケース本体のモニタ出し入れ口に設けられた、前記薄型モニタの出し入れを制御する係止手段と、
を備え、
前記係止手段は、
前記モニタ出し入れ口を閉塞するように前記ケース本体に対して曲折自在に動作する、前記ケース本体に連設されたヒンジ片である、
ことを特徴とする薄型モニタ保持具。
【請求項２】
前記ケース本体は、
前記薄型モニタの天部を支持する天面側覆い部と、
前記薄型モニタの地部を支持する地面側覆い部と、
前記天面側覆い部及び前記地面側覆い部に共に連設して一体に形成された前面側覆い部と、
を有して構成され、小口方向の少なくとも何れか一方が前記モニタ出し入れ口として開口する前面被覆型の枠体である、
ことを特徴とする請求項１に記載の薄型モニタ保持具。
【請求項３】
前記前面側覆い部は、前記薄型モニタに設けられたディスプレイに相当する部分が開口していることを特徴とする請求項２に記載の薄型モニタ保持具。
【請求項４】
前記前面側覆い部は、前記薄型モニタに設けられたスピーカに相当する部分が開口していることを特徴とする請求項２又は３に記載の薄型モニタ保持具。
【請求項５】
前記前面側覆い部は、前記薄型モニタに設けられた人感センサに相当する部分が開口していることを特徴とする請求項２乃至４の何れか１項に記載の薄型モニタ保持具。
【請求項６】
前記前面側覆い部は、設置部の背面に対して密着して設置することが可能な平面取付部材を備えていることを特徴とする請求項１乃至４の何れか１項に記載の薄型モニタ保持具。
【請求項７】
前記ケース本体は、
前記薄型モニタの天部を支持する天面側覆い部と、
前記薄型モニタの地部を支持する地面側覆い部と、
前記天面側覆い部及び前記地面側覆い部に共に連設して一体に形成された背面側覆い部と、
を有して構成され、小口方向の少なくとも何れか一方が前記モニタ出し入れ口として開口する背面被覆型の枠体であり、
前記背面側覆い部は、設置部の前面に対して設置することが可能な掛止部材を備えている、
ことを特徴とする請求項１に記載の薄型モニタ保持具。
【請求項８】
前記ケース本体は、
前記薄型モニタの天部を支持する天面側覆い部と、
前記薄型モニタの地部を支持する地面側覆い部と、
前記天面側覆い部及び前記地面側覆い部に共に連設して一体に形成された、前面側覆い部及び背面側覆い部と、
を有して構成され、小口方向の少なくとも何れか一方が前記モニタ出し入れ口として開口する筒状被覆型の枠体であり、
前記前面側覆い部は、薄厚広告媒体を挟持する透明な保持部材を備え、
前記背面側覆い部は、設置部の前面に対して設置することが可能な掛止部材を備えている、
ことを特徴とする請求項１に記載の薄型モニタ保持具。
【発明の詳細な説明】
【技術分野】
【０００１】
本願発明は、スーパーマーケットやドラッグストア、コンビニエンスストア、ホームセンター等の店舗やショールーム、コンベンションセンターに設けられたブース等において、商品や製品、提供するサービス等に関する情報を伝達するのに用いる薄型モニタを商品等の近傍に設置することを可能とする什器に係り、詳しくは、商品等の展示部近傍へ薄型モニタを設置した後において、薄型モニタのみの撤去や交換を可能とする薄型モニタ保持具に関する。
【背景技術】
【０００２】
店舗等において商品を販売する場合、一般的に常設された陳列棚を用いている。このような陳列棚を用いた販売方法では、商品の広告・販売効果を高めることを目的として、商品名や価格、キャッチコピー、説明文、イラストなどを表示した、アイキャッチ力の強いＰＯＰ（Point of purchase advertising）広告を陳列棚に取り付けて商品が目立つようにしている。すなわち、陳列棚の近傍へ取り付けたＰＯＰ広告を利用して多くの情報を消費者等へ伝達することとしている。
また、ショールームやブース等においては、商品等の近傍に、大きめのパネルを設置したり、リーフレット等の印刷物を配置したりすることで、商品等に関する情報をできるだけ多く、且つ、わかり易く来場者等へ伝達することとしている。
【０００３】
ところが、このようなＰＯＰ広告やパネル、印刷物等を用いた情報伝達方法では、ＰＯＰ広告等を取り付けるスペースに制限があり、多くの情報を消費者に伝えることができない。また、ＰＯＰ広告等の中には動くものもあるが、その動きは小さいため特定の商品等を目立たせることが難しく、商品等の宣伝効果を高めることができない。しかも、陳列（展示）する商品等が変更される場合、ＰＯＰ広告等も全て交換しなければならず、その作業が煩わしく手間の掛かるものである。
【０００４】
そこで、近年では、商品等の展示部近傍へ薄型モニタを設置し、この薄型モニタのディスプレイに商品等を紹介する動画を流すことで宣伝するようにしている。動画を用いた広告方法は、商品周りに取り付けるＰＯＰ広告と比べて非常に多くの情報を配信することが可能であるので、メーカや店舗等が望む適切な情報を視覚的に分かり易く消費者等へ伝えることができる。また、陳列（展示）する商品等が変更された場合には、設置された薄型モニタの交換作業をその都度必要とせず、配信する情報内容を変更するだけで容易に対応することができることとなる。
【０００５】
ところで、このような動画広告用の薄型モニタは、消費者の目に留まり易い位置に設置することが望ましい一方、商品等の展示に支障をきたさない位置に設置することが重要である。また、薄型モニタは、商品等の展示部（陳列什器）の形態に関係なく、簡単に且つ確実に設置できるものであることが望ましい。さらに、薄型モニタに人や物が当たって位置や向きが簡単にずれたり、落下したり、薄型モニタに当たった人が怪我したりすることなく確実に且つ安全に設置する必要がある。
【０００６】
そこで、商品等の展示部へ容易に且つ確実に取り付けることができると共に、商品等の展示スペースの効率を向上させるようにしたものとして、前端部上面に突出部を有する棚にモニタを取り付けることができるようにしたモニタ取付具が提案されている（特許文献１を参照）。
【０００７】
上記従来のモニタ取付具は、商品の陳列棚の前端部に取付けるものであるため、消費者の目に留まり易く、商品等の展示にも支障をきたさないものといえる。また、このモニタ取付具は、陳列棚の前端部上面に有する突出部に引っ掛けるようにして取り付けるものであるため、容易に且つ確実に取り付けることができるものでもある。
【０００８】
しかしながら、このモニタ取付具は、上述したように商品の陳列棚の前端部に取付けるものであることから、陳列棚の前端部より大きく突出したものとなり、薄型モニタに人や物が当たって位置や向きが簡単にずれてしまったり、落下したり、薄型モニタに当たった人が怪我したりしてしまうおそれがある。
【０００９】
しかも、上記モニタ取付具は、モニタの背面に取付具が一体的に固定して設けられたものとなっているため、薄型モニタの故障によって薄型モニタの撤去や交換が必要となった場合や、一定期間後に元の配置に戻すことが予定されている商品等の一時的な陳列（展示）状態の変更によって、取付具を取り外すことなくその場に残したまま簡単且つ容易に薄型モニタのみの移動が要望される場合、適切に対応することが難しいものである。
【００１０】
したがって、商品周りに薄型モニタを設置する際に、陳列棚の前端部より大きく突出することなく、かつ、薄型モニタのみの撤去や交換を可能とする保持具があれば望ましいが、出願人が知る限り、薄型モニタの設置と薄型モニタのみの撤去や交換の双方を考慮した薄型モニタ保持具は未だ提案されていない。
【先行技術文献】
【特許文献】
【００１１】
【特許文献１】特開２００３−３３０３８２号公報
【発明の概要】
【発明が解決しようとする課題】
【００１２】
本発明は、上記事情に鑑みて成されたものであり、保持具を用いて薄型モニタを設置した後において、保持具を取り外すことなく、薄型モニタのみの撤去や交換を可能とする技術を提供することを目的とする。
【課題を解決するための手段】
【００１３】
本発明の薄型モニタ保持具は、商品の展示部近傍へ薄型モニタを設置した後において、薄型モニタのみの撤去や交換を可能とする保持具であって、前記薄型モニタを収容するケース本体と、前記ケース本体のモニタ出し入れ口に設けられた、前記薄型モニタの出し入れを制御する係止手段とを備え、前記係止手段は、前記モニタ出し入れ口を閉塞するように前記ケース本体に対して曲折自在に動作する、前記ケース本体に連設されたヒンジ片であることを特徴とする。
【００１４】
本発明の薄型モニタ保持具において、前記ケース本体の第一の形態は、前記薄型モニタの天部を支持する天面側覆い部と、前記薄型モニタの地部を支持する地面側覆い部と、前記天面側覆い部及び前記地面側覆い部に共に連設して一体に形成された前面側覆い部とを有して構成され、小口方向の少なくとも何れか一方が前記モニタ出し入れ口として開口する前面被覆型の枠体であることを特徴とする。
【００１５】
上記第一の形態のケース本体において、前面側覆い部は、前記薄型モニタに設けられたディスプレイに相当する部分が開口していると望ましい。
また、前記前面側覆い部は、前記薄型モニタに設けられたスピーカに相当する部分が開口していると望ましい。
また、前記前面側覆い部は、前記薄型モニタに設けられた人感センサに相当する部分が開口していると望ましい。
【００１６】
また、上記第一の形態のケース本体において、前面側覆い部は、設置部の背面に対して密着して設置することが可能な平面取付部材を備えていると望ましい。
【００１７】
また、本発明の薄型モニタ保持具において、前記ケース本体の第二の形態は、前記薄型モニタの天部を支持する天面側覆い部と、前記薄型モニタの地部を支持する地面側覆い部と、前記天面側覆い部及び前記地面側覆い部に共に連設して一体に形成された背面側覆い部とを有して構成され、小口方向の少なくとも何れか一方が前記モニタ出し入れ口として開口する背面被覆型の枠体であり、前記背面側覆い部は、設置部の前面に対して設置することが可能な掛止部材を備えていることを特徴とする。
【００１８】
さらに、本発明の薄型モニタ保持具において、前記ケース本体の第三の形態は、前記薄型モニタの天部を支持する天面側覆い部と、前記薄型モニタの地部を支持する地面側覆い部と、前記天面側覆い部及び前記地面側覆い部に共に連設して一体に形成された、前面側覆い部及び背面側覆い部とを有して構成され、小口方向の少なくとも何れか一方が前記モニタ出し入れ口として開口する筒状被覆型の枠体であり、前記前面側覆い部は、薄厚広告媒体を挟持する透明な保持部材を備え、前記背面側覆い部は、設置部の前面に対して設置することが可能な掛止部材を備えていることを特徴とする。
【発明の効果】
【００１９】
本発明の薄型モニタ保持具は、薄型モニタを収容するケース本体のモニタ出し入れ口に、係止手段として、ケース本体に対して曲折自在に動作するヒンジ片が連設されたものとなっている。すなわち、このヒンジ片は、ケース本体に連なった状態に設けられたものであるからケース本体と一体となっており、また、ケース本体に対して折り曲げ自由な状態となっているものであるから、指等で簡単に屈曲・伸展の操作ができるものとなっている。ゆえに、ヒンジ片を薄型モニタ側へ向かって倒すように指等で軽く押して曲折（屈曲）すれば、モニタ出し入れ口の一部を簡単に閉塞し、一方、ヒンジ片を薄型モニタから離すように指等に引っ掛けて軽く引いて展ばせば、モニタ出し入れ口を閉塞することなく全開するものとなる。
【００２０】
したがって、ケース本体を任意の手段で商品周りに取り付けた後、まず、ヒンジ片を展ばしてモニタ出し入れ口を全開状態とすれば、ケース本体内へ薄型モニタを簡単に挿入することができ、薄型モニタを容易に設置することができる。一方、薄型モニタを設置後、ヒンジ片を曲折（屈曲）してモニタ出し入れ口の一部を閉塞する係止状態とすれば、ヒンジ片がストッパーとなってケース本体内に収容した薄型モニタが衝撃等によって位置ずれしたり、落下したりしないように保持することができる。さらに、ヒンジ片を再度展ばしてモニタ出し入れ口を全開状態とすることで、薄型モニタを設置した後において、保持具を取り外すことなくヒンジ片の操作だけで、薄型モニタの故障や、商品等の一時的な陳列（展示）状態の変更等に応じて、簡単に薄型モニタのみの撤去や交換が容易にできるものとなる。
【図面の簡単な説明】
【００２１】
【図１】本発明に係る薄型モニタ保持具の第一の形態を示す正面斜視図である。
【図２】図１に示す薄型モニタ保持具の背面斜視図である。
【図３】本発明に係る薄型モニタ保持具に備えられた係止手段の動作を説明する、（Ａ）ヒンジ片を展ばした状態の厚さ方向中央縦断面、（Ｂ）ヒンジ片を曲折（屈曲）した状態の厚さ方向中央縦断面である。
【図４】図１に示す薄型モニタ保持具に薄型モニタを収容する状態を示す説明図である。
【図５】図１に示す薄型モニタ保持具に薄型モニタを収容した状態を示す正面図である。
【図６】図１に示す薄型モニタ保持具に収容された薄型モニタを、陳列棚の前端部に取り付けられるレールトレイの背面に設置する状態を示す説明図である。
【図７】本発明に係る薄型モニタ保持具の第二の形態を示す正面斜視図である。
【図８】図７に示す薄型モニタ保持具の背面斜視図である。
【図９】図７に示す薄型モニタ保持具に収容された薄型モニタを、陳列棚の上段に取り付けられたスチールフレームに設置した状態を示す背面部分斜視図である。
【図１０】本発明に係る薄型モニタ保持具の第三の形態を示す正面斜視図である。
【図１１】図１０に示す薄型モニタ保持具の背面斜視図である。
【発明を実施するための形態】
【００２２】
以下、本発明に係る薄型モニタ保持具の実施の形態の一例について、図面に基づき説明する。
本発明に係る薄型モニタ保持具は、商品の展示部近傍へ薄型モニタを設置した後において、薄型モニタのみの撤去や交換を可能とする機能を備えた設置用具である。すなわち、本発明の薄型モニタ保持具は、薄型モニタと一体として用いて商品周りへ薄型モニタを設置することだけを目的とするものではなく、薄型モニタとは固定されることなく容易に分離できるものとし、設置後において薄型モニタのみの撤去や再設置もしくは交換（すなわち、取り外しや再度の取り付け）を簡単になし得ることをも目的とするものである。
【００２３】
なお、以下に述べる実施の形態は、本発明の好適な具体例であるため技術的に種々の限定が付されているが、本発明の範囲は、以下の説明において特に限定する旨の記載がない限り、これらの形態に限られるものではない。
【００２４】
＜第一の実施の形態＞
図１及び図２に示すように、本実施の形態における薄型モニタ保持具１０は、ケース本体１と、係止手段１１と、を少なくとも備える。
ケース本体１は、薄型モニタＭを収容する筐体であって、小口方向の少なくとも何れか一方がモニタ出し入れ口１Ａとして機能するように開口可能となっていれば、形状や構造は特に限定されるものではない。
【００２５】
本実施の形態において、ケース本体１は、薄型モニタＭのディスプレイＤを前面としたとき、その天部を支持する天面側覆い部１２と、同地部を支持する地面側覆い部１４と、天面側覆い部１２及び地面側覆い部１４に共に連設して一体に形成された前面側覆い部１３と、を有して構成されたものとなっている。すなわち、ケース本体１は、前面被覆型の枠体となっている。
【００２６】
図１及び図２において、天面側覆い部１２は、薄型モニタの天部側に配される天面支持部１２ｓと、薄型モニタＭの背部側に配される天面側背面支持部１２ｂとからなる、下向きＬ字状をした部位として示されている。一方、地面側覆い部１４は、薄型モニタＭの地部側に配される地面支持部１４ｇと、薄型モニタＭの背部側に配される地面側背面支持部１４ｂとからなる、上向きＬ字状をした部位として示されている。
【００２７】
また、前面側覆い部１３は、天面側覆い部１２（天面支持部１２ｓ）及び地面側覆い部１４（地面支持部１４ｇ）の各前面側端部より連設されたものとなっている。ゆえに、天面側覆い部１２と地面側覆い部１４は、薄型モニタＭを対向する二方向（すなわち、天方向と地方向）から挟み込んで支持するように、前面側覆い部１３を介して一体的に形成されたものとなっている。
【００２８】
さらに、ケース本体１における小口方向の一方に、係止手段１１を備えたモニタ出し入れ口１Ａが設けられていると共に、小口方向の他方に、モニタ出し入れ口１Ａより挿入した薄型モニタＭを受け止める固定係止部１６が設けられたものとして示されている。
【００２９】
このようなケース本体１は、薄型モニタＭを収容することができると共に、薄型モニタＭを外部の衝撃等から保護することができるものであれば、材料は特に限定されない。したがって、たとえば、ポリエチレン（ＰＥ）やポリプロピレン（ＰＰ）、塩化ビニル樹脂（ポリ塩化ビニル）、ポリスチレン、ＡＳ樹脂、ポリエチレンテレフタレート（ＰＥＴ樹脂）、メタクリル樹脂（アクリル樹脂）等の合成樹脂材料を用いることができる。
【００３０】
また、ケース本体１は、薄型モニタＭのディスプレイＤに表示された映像が透けて見えるものであれば特に無色透明である必要はなく、視覚的に透視性を失わない程度に着色されたものとしても良い。このようにケース本体１が透視性を失わない程度に着色されたものであると、全体又は一部に色彩を施すことができ、外観からもたらされる装飾的効果を高めることができる。
【００３１】
一方、ケース本体１が、薄型モニタＭのディスプレイＤに表示された映像が透けて見えない着色されたものである場合には、前面側覆い部１３において、薄型モニタＭに設けられたディスプレイＤに相当する部分が開口したものとすると良い。もちろん、ケース本体１が透明である場合であっても、前面側覆い部１３に同様の開口を設けるものとしても良い。
図１及び図２において、前面側覆い部１３は、矩形状をしたディスプレイ用開口部１７が形成されたものとして示されている。
【００３２】
また、前面側覆い部１３は、薄型モニタＭがスピーカＳを備えるものの場合、このスピーカＳに相当する部分が開口したものとすると良い。すなわち、薄型モニタＭのスピーカＳから発せられる音声や音楽が聞き取り易いように、前面側覆い部１３に放音口を設けることが望ましい。
図１及び図２において、前面側覆い部１３は、ディスプレイ用開口部１７の正面視左側に円形をしたスピーカ用開口部１８が形成されたものとして示されている。
【００３３】
さらに、前面側覆い部１３は、薄型モニタＭが常に映像等を流した状態とするものではなく、薄型モニタＭ付近の人の所在を検知して必要な時だけ映像等を流すようにした人体感知センサＨを備えるものの場合、この人体感知センサＨに相当する部分が開口したものとすると良い。すなわち、人体感知センサＨは、赤外線や超音波、可視光などを用いて周囲の温度変化を感知して動作するセンサであって、焦電センサのようにモジュール基板上にドーム型のフレンネルレンズが取り付けられたものの場合、このフレンネルレンズが露呈するように、前面側覆い部１３に突出口を設けることが望ましい。
図１及び図２において、前面側覆い部１３は、ディスプレイ用開口部１７の正面視右側に円形をした人体感知センサ用開口部１９が形成されたものとして示されている。
【００３４】
係止手段１１は、ケース本体１のモニタ出し入れ口１Ａに設けられ、薄型モニタＭの出し入れを制御するストッパー部材である。すなわち、係止手段１１は、ケース本体１に薄型モニタＭが収容されている場合、外部からの衝撃等によって薄型モニタＭが位置ずれしたり、ケース本体１から飛び出して落下したりしないように防止する機能を有する。
【００３５】
この係止手段１１は、モニタ出し入れ口１Ａの少なくとも一部を閉塞するようにケース本体１に対して曲折自在に動作する、ケース本体１に連設されたヒンジ片とすることができる。すなわち、このヒンジ片１１は、ケース本体１と同一部材によって一体に成形されたものであって、指等による操作によって簡単に屈曲・伸展ができ、この操作による屈曲状態や伸展状態を維持することが可能な弾性復元力を有さないものとなっていることを要する。
【００３６】
ヒンジ片１１としては、たとえば、図１及び図２に示すように、ケース本体１の一方の小口側端部において、天面側覆い部１２（天面支持部１２ｓ）及び地面側覆い部１４（地面支持部１４ｇ）より薄肉部１ｔを介してそれぞれ外方へ延設された舌片状部材とすることができる。薄肉部１ｔは、ケース本体１の成形時に予め薄厚部として設けるものとしても良いし、ケース本体１の成形後に切削等によって溝を設けるものとして良い。
【００３７】
図３（Ａ）において、ヒンジ片１１は一点鎖線矢印で示すように、伸展状態からケース本体１の内側へ向かって屈曲させると、薄肉部１ｔを軸として折れ曲がるように動作するものとして示されている。また、図３（Ｂ）において、ヒンジ片１１は二点鎖線矢印で示すように、屈曲状態からケース本体１の外側へ向かって展ばすと、薄肉部１ｔを軸として直線状態に伸びるよう動作するものとして示されている。
【００３８】
また、図３において、薄肉部１ｔは、ケース本体１の内側に位置するもの（すなわち、天面支持部１２ｓ又は地面支持部１４ｇとヒンジ片１１の連結箇所の外側を切欠するもの）として示されているが、本発明はこれに限定されるものではなく、ケース本体１の外側に薄肉部１ｔが位置するもの（すなわち、天面支持部１２ｓ又は地面支持部１４ｇとヒンジ片１１の連結箇所の内側を切欠するもの）としても良い。
【００３９】
以上のように本発明の薄型モニタ保持具１０は、図４に示すように、ケース本体１の外側へ向かってヒンジ片１１を直線状に展ばしてモニタ出し入れ口１Ａを全開状態とし、図中の一点鎖線矢印で示すように、ケース本体１へ薄型モニタＭを収容した後、図３（Ｂ）に示すように、ヒンジ片１１を薄型モニタＭ側へ向かって倒すように指等で軽く押して曲折（屈曲）すれば、モニタ出し入れ口１Ａの一部を簡単に閉塞することができ、薄型モニタＭの位置ずれや落下等を防止することができるものとなる。
【００４０】
一方、図３（Ａ）に示すように、ヒンジ片１１を薄型モニタＭから離すように指等に引っ掛けて軽く引いて展ばせば、モニタ出し入れ口１Ａが全開することができ、ケース本体１からの薄型モニタＭの取出しや再収容ができるものとなる。
【００４１】
このような薄型モニタ保持具１０は、たとえば、前面側覆い部１３を設置部へ取り付けて用いることができる。薄型モニタ保持具１０の設置部への取り付けは、しっかりと固定できる手段であれば特に限定されない。ゆえに、前面側覆い部１３の設置部へ取り付けを、たとえば、接着剤等を用いて行うものとすることができるが、本実施の形態においては、前面側覆い部１３は、設置部の背面に対して密着して設置することが可能な平面取付部材５を予め備えているものとすると良い。具体的には、薄型モニタＭを被取付部の背面側に容易に設置することができるように、前面側覆い部１３の表面に、平面取付部材として予め両面粘着テープ５を貼付しておくものとすることができる。
【００４２】
図５において、前面側覆い部１３は、ディスプレイ用開口部１７より薄型モニタＭのディスプレイＤが露呈し、スピーカ用開口部１８より同スピーカＳが露呈し、人体感知センサ用開口部１９より同人体感知センサＨが露呈すると共に、スピーカ用開口部１８の正面視左側と、人体感知センサ用開口部１９の正面視右側とにそれぞれ両面粘着テープ５が設けられたものとして示されている。
【００４３】
このように前面側覆い部１３に両面粘着テープ５が設けられた薄型モニタ保持具１０は、たとえば、陳列棚の前端部（いわゆる、商品のこぼれ止め）に取り付けられるレールトレイの背面や、陳列棚の上部に取り付けたり、天井より吊下げたりするボードやパネルの背面へ、両面粘着テープ５を用いて設置することができる。具体的には、たとえば、図６において一点鎖線矢印で示すように、両面粘着テープ５を用いてレールトレイＴの背面に薄型モニタ保持具１０を取り付けることができる。
【００４４】
図６において、レールトレイＴは、前面側にポケット部Ｐを備えると共に、背面側に吊下げ式掛止部材Ｆを備えたものとして示されている。ポケット部Ｐは、薄厚広告媒体を挟持することができる保持部材であって、透明な前面部Ｐｆと後面部Ｐｂが下端部において一体的に連設されることにより構成されたものとなっており、薄型モニタＭのディスプレイＤに表示された映像が視認できるように、中央に窓口部Ｗが設けられたものとなっている。一方、吊下げ式掛止部材Ｆは、陳列棚の前端部に対して設置することが可能なフック部が、二つ並んで設けられたものとなっている。
【００４５】
薄厚広告媒体としては、たとえば、紙や合成樹脂シートの上に、商品名や価格、キャッチコピー、説明文、イラストなどを手描き又は印刷した、いわゆるＰＯＰ（Point of purchase advertising）を挙げることができる。本実施の形態において用いる薄厚広告媒体は、薄型モニタＭのディスプレイＤやスピーカＳ、及び人体感知センサＨが露呈するように、その部分が開口したものとして成形すると良い。
【００４６】
以上のように、本実施の形態に係る薄型モニタ保持具１０によれば、薄型モニタ保持具１０を設置部へ取り付けたとしても、上述のようにヒンジ片（係止手段）１１を操作すれば、薄型モニタＭをカセットのように自由に取外したり交換したりすることができる。ゆえに、故障によって薄型モニタＭの撤去や交換が必要となった場合等において、薄型モニタ保持具１０を取り外すことなくその場に残したまま、簡単且つ容易に対応することができるものとなる。
【００４７】
しかも、本発明の薄型モニタ保持具１０は、レールトレイやボード、パネルといった設置部の背面に容易に取り付けることができるので、陳列棚等の前端部より大きく突出することなく薄型モニタを商品等の近傍に設置することができる。ゆえに、薄型モニタに人や物が当たって位置や向きが簡単にずれてしまったり、落下したり、薄型モニタに当たった人が怪我したりしてしまうおそれをなくすことができる。
【００４８】
なお、本発明において係止手段１１は、ケース本体１への薄型モニタＭの出し入れを制御するストッパー部材として機能すればよいので、本実施の形態のように、天面側覆い部１２（天面支持部１２ｓ）及び地面側覆い部１４（地面支持部１４ｇ）に連設されたものではなく、前面側覆い部１３に連設されたもの、もしくはこれらを組み合わせたものとしても良い。
【００４９】
＜第二の実施の形態＞
また、発明においては、薄型モニタＭを設置部の前面に容易に取り付けることを可能とすることもできる。すなわち、上述した第１の実施の形態とは、薄型モニタを保持するケース本体の構造が背面覆い型の枠体となる点で異なる。
なお、以下に述べる他の各実施の形態では、上述した第一の実施の形態と異なる部分を中心に説明する。したがって、第１の実施の形態と同様の構成部分は同じ符号を付してその説明は省略し、特に説明しない限り同じであるものとする。
【００５０】
図７及び図８に示すように、本実施の形態における薄型モニタ保持具２０は、ケース本体１と、係止手段１１と、を少なくとも備える。
本実施の形態において、ケース本体１は、薄型モニタＭのディスプレイＤを前面としたとき、その天部を支持する天面側覆い部１２と、同地部を支持する地面側覆い部１４と、天面側覆い部１２及び地面側覆い部１４に共に連設して一体に形成された背面側覆い部１５と、を有して構成されたものとなっている。
【００５１】
図７及び図８において、天面側覆い部１２は、薄型モニタの天部側に配される天面支持部１２ｓと、薄型モニタＭの前部側に配される天面側前面支持部１２ｆとからなる、下向きＬ字状をした部位として示されている。一方、地面側覆い部１４は、薄型モニタＭの地部側に配される地面支持部１４ｇと、薄型モニタＭの前部側に配される地面側前面支持部１４ｆとからなる、上向きＬ字状をした部位として示されている。
【００５２】
また、背面側覆い部１５は、天面側覆い部１２（天面支持部１２ｓ）及び地面側覆い部１４（地面支持部１４ｇ）の各背面側端部より連設されたものとなっている。ゆえに、天面側覆い部１２と地面側覆い部１４は、薄型モニタＭを対向する二方向（すなわち、天方向と地方向）から挟み込んで支持するように、背面側覆い部１５を介して一体的に形成されたものとなっている。
【００５３】
また、背面側覆い部１５は、設置部の前面に対して容易に設置することが可能な掛止部材６Ａを備えているものとすると良い。具体的には、背面側覆い部１５の背面にネジ止め式掛止部材６Ａを取り付けたものとすることができる。
【００５４】
図８において、背面側覆い部１５は、背面側中央部に、断面下向きコ字状をしたネジ止め式掛止部材６Ａが設けられたものとして示され、ネジ止め式掛止部材６Ａは、板状設置部の端部や棒状設置部を挟み込むことが可能な間隙部６ｇと、設置部を挟み込むネジ部を有する回転ハンドル６ｈを備えたものとして示されている。
【００５５】
このように背面側覆い部１５にネジ止め式掛止部材６Ａが設けられた薄型モニタ保持具２０は、たとえば、板状設置部の端部や棒状設置部に引っ掛けて挟み込むよう固定することで、設置部の前面に薄型モニタＭが配されるように取り付けることができる。
【００５６】
図９において、商品陳列棚ＰＳは、商品展示部の上方に棒状のスチールフレームＳＦを架け渡すように設けたものであって、ネジ止め式掛止部材６Ａの間隙部６ｇをスチールフレームＳＦに引っ掛けて回転ハンドル６ｈを締め付けることで、薄型モニタ保持具２０を設置部である商品展示部の上方のスチールフレームＳＦに固定するものとして示されている。また、薄型モニタ保持具２０は、回転ハンドル６ｈを緩めることで、図中一点鎖線矢印で示すように、スチールフレームＳＦに沿って位置を移動させたたり、同二点鎖線矢印で示すように、スチールフレームＳＦを軸として角度を調整したりすることができるものとなっている。
【００５７】
以上のように、本実施の形態に係る薄型モニタ保持具２０によれば、薄型モニタＭを設置部の前面に容易に取り付けることが可能となると共に、ヒンジ片（係止手段）１１を操作すれば、薄型モニタＭをカセットのように自由に取外したり交換したりすることが簡単且つ容易にできるものとなる。
【００５８】
＜第三の実施の形態＞
また、本発明の薄型モニタ保持具は、レールトレイを用いずに商品陳列棚等の前端部に容易に取り付けることを可能とすることもできる。すなわち、上述した第一の実施の形態とは、薄型モニタを保持するケース本体の構造が筒状覆い型の枠体となる点で異なる。
【００５９】
図１０及び図１１に示すように、本実施の形態における薄型モニタ保持具３０は、ケース本体１と、係止手段１１と、を少なくとも備える。
本実施の形態において、ケース本体１は、薄型モニタＭのディスプレイＤを前面としたとき、その天部を支持する天面側覆い部１２と、同地部を支持する地面側覆い部１４と、天面側覆い部１２及び地面側覆い部１４に共に連設して一体に形成された前面側覆い部１３及び背面側覆い部１５と、を有して構成されたものとなっている。
【００６０】
図１０及び図１１において、前面側覆い部１３は、天面側覆い部１２及び地面側覆い部１４の各前面側端部より連設されたものとなっており、一方、背面側覆い部１５は、天面側覆い部１２及び地面側覆い部１４の各背面側端部より連設されたものとなっている。ゆえに、天面側覆い部１２と地面側覆い部１４は、薄型モニタＭを対向する二方向（すなわち、天方向と地方向）から挟み込んで支持するように、前面側覆い部１３及び背面側覆い部１５を介して一体的に形成されたものとなっている。
【００６１】
前面側覆い部１３は、薄厚広告媒体を挟持することができる保持部材７を前面側に備える。この保持部材７は、透明な前面部７ｆと後面部７ｂが下端部において一体的に連設されることによりポケット部７ｐが構成されたものとなっており、図１０及び図１１に示すように、前面側覆い部１３に設けられたディスプレイ用開口部１７を介して露呈することとなる薄型モニタＭのディスプレイＤが前面側覆い部１３を通して視認できるようになっている。
【００６２】
また、図１０及び図１１において、保持部材７は、前面側覆い部１３に設けられたスピーカ用開口部１８や人体感知センサ用開口部１９に相当する部分に開口が設けられたものとなっており、薄型モニタＭのスピーカＳや人体感知センサＨを露呈させることができるものとして示されている。
【００６３】
一方、背面側覆い部１５は、背面側に吊下げ式掛止部材６Ｂを備える。この吊下げ式掛止部材６Ｂは、陳列棚の前端部に対して設置することが可能なフック部であって、図１０及び図１１において、二つ並んで設けられたものとして示されている。
【００６４】
以上のように、本実施の形態に係る薄型モニタ保持具３０によれば、レールトレイを用いずに直接、薄型モニタＭを商品陳列棚等の前端部に容易に取り付けることが可能となると共に、ヒンジ片（係止手段）１１を操作すれば、薄型モニタＭをカセットのように自由に取外したり交換したりすることが簡単且つ容易にできるものとなる。
【００６５】
なお、薄型モニタＭを設置部の前面に容易に取り付けることを可能とするために、第二の実施の形態ではネジ止め式掛止部材６Ａを、第三の実施の形態では吊下げ式掛止部材６Ｂを、それぞれ設置部に対する取付け手段として例示するものとしたが、本発明はこれらに限定されるものではない。ゆえに、薄型モニタＭの設置部となる商品陳列棚等の前端部が磁着可能な金属部材からなるものの場合、取付け手段としてケース本体１の背面側覆い部１５にマグネットを設置するものとしても良い。これにより、商品陳列棚等の前端部の大きさや厚み、形状に関係なく、マグネットの磁力によってケース本体１（すなわち、薄型モニタＭ）を商品陳列棚等の前端部に容易に取り付けることができるものとなる。
【００６６】
また、取付け手段としては、ケース本体１の背面側覆い部１５の下端部より背面側に向かって平面的に延設された（すなわち、背面側覆い部１５と一体的にＬ字状となるように形成された）、商品の下面に敷設することが可能な下敷き平面部を備えるものとしても良い。これにより、商品陳列棚等の前端部の大きさや厚み、形状、及びその有無に関係なく、商品陳列棚の前面部にケース本体１（すなわち、薄型モニタＭ）を取り付けることが可能となる。
【００６７】
勿論、商品陳列棚が磁着可能な金属部材からなるものの場合、下敷き平面部の下面側にマグネットを設けるものとしても良い。これにより、マグネットの磁力によって下敷き平面部が商品陳列棚に強固に取り付けられるものとなり、ケース本体１が無暗に位置ずれすることなく、安定して商品陳列棚の前面部にケース本体１（すなわち、薄型モニタＭ）を取り付けることが可能となる。
【符号の説明】
【００６８】
Ｄ  ディスプレイ、Ｆ  フック部、Ｈ  人体感知センサ、Ｍ  薄型モニタ、Ｐ  ポケット部、Ｐｂ  （ポケット部の）後面部、Ｐｆ  （ポケット部の）前面部、ＰＳ  商品陳列棚、Ｓ  スピーカ、ＳＦ  スチールフレーム、Ｔ  レールトレイ、Ｗ  窓口部、１  ケース本体、１Ａ  モニタ出し入れ口、１ｔ  薄肉部、５  両面粘着テープ（平面取付部材）、６Ａ  ネジ止め式掛止部材、６Ｂ  吊り下げ式掛止部材、６ｇ  間隙部、６ｈ  回転ハンドル、７  保持部材、７ｂ  （保持部材の）後面部、７ｆ  （保持部材の）前面部、７ｐ  （保持部材の）ポケット部、１０，２０，３０  薄型モニタ保持具、１１  ヒンジ片（係止手段）、１２  天面側覆い部、１２ｂ  天面側背面支持部、１２ｆ  天面側前面支持部、１２ｓ  天面支持部、１３  前面側覆い部、１４  地面側覆い部、１４ｂ  地面側背面支持部、１４ｆ  地面側前面支持部、１４ｇ  地面支持部、１５  背面側覆い部、１６  固定係止部、１７  ディスプレイ用開口部、１８  スピーカ用開口部、１９  人体感知センサ用開口部。
【図１】
2016209410.tif 000003
【図２】
2016209410.tif 000004
【図３】
2016209410.tif 000005
【図４】
2016209410.tif 000006
【図５】
2016209410.tif 000007
【図６】
2016209410.tif 000008
【図７】
2016209410.tif 000009
【図８】
2016209410.tif 000010
【図９】
2016209410.tif 000011
【図１０】
2016209410.tif 000012
【図１１】
2016209410.tif 000013